(57)【要約】【課題】開封済み表示とするとき分離物が発生せず、複数に積み重ねても安定した配置形態を保ち得る包装箱を提供する。【解決手段】包装箱１Ａは、箱本体１０及び蓋体２０を備える。蓋体２０を構成する外蓋片２２には、切り込み線Ｃ４と折り曲げ線Ｌ８とで囲まれた押し込み片２２ａが形成される。押し込み片２２ａの裏側には内蓋部材２１（カバー片）が重なり合うように配置される。内蓋部材２１は、その基端部が外蓋片２２に一体化され、その自由端部が押し込み片２２ａへの押込動作に伴い、基端部を支点部位として箱本体１０の内側への変位を許容される。押し込み片２２ａが外蓋片２２から離間して箱本体１０の内側へ向けて所定の深さまで押し込まれるとき、押し込み片２２ａが内蓋部材２１の自由端部を乗り越えて内蓋部材２１の裏側へ回り込む。外蓋片２２に形成された開口部を通して内蓋部材２１の表面の一部が露出した状態となる。【選択図】図４
2017149432.tif 000002
【特許請求の範囲】
【請求項１】
筒状又は容器状の箱本体と、該箱本体における開口端の１端縁から連続して延びる少なくとも一つの蓋体とを備え、前記蓋体の少なくとも一つは前記箱本体の端縁を折り曲げ線として回動可能な開閉蓋とされ、該開閉蓋の回動に応じて前記箱本体が開閉可能とされた包装箱であって、
前記箱本体又は前記蓋体には、切り込み線と該切り込み線の両端を結ぶ折り曲げ線とで囲まれた所定形状の押し込み片が形成されるとともに、前記押し込み片の裏側にカバー片が重なり合うように配置され、
前記カバー片は、その基端部が前記箱本体又は前記蓋体と一体化され、その自由端部が前記押し込み片への押込動作に伴い、前記基端部を支点部位として前記箱本体の内側への変位を許容される片持ち状態とされており、
前記押し込み片が前記箱本体又は前記蓋体から離間して前記箱本体の内側へ向けて所定の深さまで押し込まれるとき、前記押し込み片が前記カバー片の自由端部を乗り越えて該カバー片の裏側へ回り込み、前記カバー片の表面の一部が、前記箱本体又は前記蓋体に形成された開口部を通して露出し、開封済み表示として視認可能となることを特徴とする包装箱。
【請求項２】
前記押し込み片は前記開閉蓋に形成され、該開閉蓋が前記箱本体に対して閉じた状態にあるとき、押込動作に伴う前記押し込み片の変位に追従する前記カバー片が前記箱本体内の収容物と接触することで、前記カバー片が前記箱本体の内側へ変位することが抑制され、前記押し込み片が前記カバー片の自由端部を乗り越えることが阻止されるように設定される一方、前記カバー片が前記箱本体内側への変位を抑制されることのない、前記開閉蓋が前記箱本体に対して開いた状態であることを条件として、前記カバー片による前記箱本体内側への変位に応じて前記押し込み片が該カバー片の自由端部を乗り越えることが許容されるように設定されている請求項１に記載の包装箱。
【請求項３】
前記カバー片は、前記箱本体と一体に成形されている請求項２に記載の包装箱。
【請求項４】
前記カバー片は、前記箱本体及び前記蓋体とは別部材で構成され、前記開閉蓋の裏面に貼付されている請求項２に記載の包装箱。
【請求項５】
前記カバー片は、前記箱本体の開口端のうち前記開閉蓋が連結される端縁とは別の端縁から延設される、前記開閉蓋の裏側にて前記箱本体の開口の一部を塞ぐフラップで構成されている請求項２に記載の包装箱。
【請求項６】
前記カバー片は、前記箱本体をその周方向にて一体的に連結するための糊代の一部を用いて構成されており、
前記押し込み片は、前記糊代が貼付される前記箱本体の側板に形成されている請求項１又は２に記載の包装箱。
【発明の詳細な説明】
【技術分野】
【０００１】
本発明は包装箱に関し、例えば医薬品の収容に好適な包装箱に関する。
【背景技術】
【０００２】
包装箱として、例えば下記特許文献１、２に記載されているように、組み立て状態で直方体形状をなし、筒状又は容器状の箱本体と、該箱本体における開口端の１端縁から連続して延びる少なくとも一つの蓋体とを備え、蓋体の少なくとも一つは箱本体との連結部を折り曲げ線として回動可能な開閉蓋とされ、該開閉蓋の回動に応じて箱本体が開閉可能とされた包装箱が知られている。
【０００３】
下記特許文献１に記載されている包装箱は、蓋付きのコラプシブルカートンである。この包装箱の上蓋部には引き剥がし可能な指掛部が形成され、その指掛部が引き剥がされることで、折り畳まれて内側に配置された舌部の一部が外部に露出され、その一部に表示された「開封済み表示」がユーザーに視認されるように構成されている。
また、下記特許文献２に記載されている包装箱は、一方が常閉、他方が開閉式の蓋板舌片とされたタックエンドカートンである。この包装箱の前板に貼付された蓋板舌片はその一部を前板に残したまま分離可能とされ、分離した蓋板舌片は差し込み片として機能して箱本体を再封可能な構成とされており、蓋板舌片を箱本体に差し込むことで、当初は蓋板舌片により覆われていた前板の一部が外部に露出され、その一部に表示された「開封済み表示」がユーザーに視認されるように構成されている。
【先行技術文献】
【特許文献】
【０００４】
【特許文献１】特開２００５−２９８０４９号公報
【特許文献２】特開２００７−１５３４４４号公報
【発明の概要】
【発明が解決しようとする課題】
【０００５】
しかし、上記特許文献１に記載されている包装箱では、指掛部が廃棄物となって、その廃棄処理が必要になるという問題があった。これに対し上記特許文献２に記載されている包装箱では、蓋板舌片の一部が前板に残されるため、蓋板舌片の分離に際して分離物による廃棄処理の問題は解消されるものの、蓋板舌片の残部が前板に残される包装箱の構造上、例えば開封済みの包装箱を所定大きさの収容箱に詰めて所定の単位（例えば複数ダース）にまとめて管理する場合など、蓋板舌片の残部の存在により積み重ねたときの配置形態に片寄りが生じ、不安定になりやすいという問題があった。
【０００６】
本発明は、上記問題に対処するためになされたものであり、その目的は、開封済み表示とするとき廃棄物が発生せず、複数に積み重ねても安定した配置形態を保ち得る包装箱を提供することにある。
【課題を解決するための手段】
【０００７】
上記目的を達成するために本発明の包装箱は、筒状又は容器状の箱本体と、該箱本体における開口端の１端縁から連続して延びる少なくとも一つの蓋体とを備え、蓋体の少なくとも一つは箱本体の端縁を折り曲げ線として回動可能な開閉蓋とされ、該開閉蓋の回動に応じて前記箱本体が開閉可能とされた包装箱であって、
箱本体又は蓋体には、切り込み線と該切り込み線の両端を結ぶ折り曲げ線とで囲まれた所定形状の押し込み片が形成されるとともに、押し込み片の裏面側にカバー片が重なり合うように配置され、
カバー片は、その基端部が箱本体又は蓋体と一体化され、その自由端部が押し込み片への押込動作に伴い、基端部を支点部位として箱本体の内側への変位を許容される片持ち状態とされており、
押し込み片が箱本体又は蓋体から離間して所定の深さまで押し込まれるとき、押し込み片がカバー片の自由端部を乗り越えて該カバー片の裏側へ回り込み、前記カバー片の表面の一部が、箱本体又は蓋体に形成された開口部を通して露出し、開封済み表示として視認可能となることを特徴とする。
【０００８】
本発明の包装箱では、押し込み片が箱本体の内側へ向けて押し込まれることで、カバー片の自由端部を乗り越えてカバー片の裏側へ回り込む。これにより、押し込み片の離間により箱本体又は蓋体に形成された開口部を通してカバー片の表面の一部が露出した状態となり、カバー片の表面の一部が開封済み表示としてユーザーに視認されるようになる。この場合、特に上記特許文献２に記載されたような特殊形状の包装箱を使用しなくて済み、また押し込み片はカバー片により箱本体の外側への移動を阻止され、箱本体の外側へ突出するおそれもないので、再封後の包装箱においては互いの側面同士を面接触させた状態で積み重ねることができ、安定した配置形態を保つことが可能である。さらに、本発明は、既存の箱本体に単に切り込み線を設けつつ、箱本体又は蓋体と一体又は別体のカバー片を設けるだけで開封済み表示機能を有する包装箱を構成することができる。したがって、既存の箱本体を有効活用できるので、その製造コストを安価に設定することができる。
【図面の簡単な説明】
【０００９】
【図１】本発明の実施例１に係り、未開封状態の包装箱を示す斜視図。
【図２】図１のII−II断面図。
【図３】（ａ）は図１の包装箱の裏側展開図。（ｂ）は図１の包装箱の表側展開図。
【図４】図１の包装箱の構成を説明するために、図３（ａ）の包装箱を各折り曲げ線に沿って若干量だけ折り曲げた状態を示す斜視図。
【図５】図１の包装箱を開封したときの要部を示す斜視図。
【図６】図５の包装箱において押し込み片の押し込み方向を示す説明図。
【図７】（ａ）は図６の包装箱の部分側面図。（ｂ）は（ａ）の状態から押し込み片を押し込み始めた当初の状態を示す説明図。（ｃ）は（ｂ）の状態から更に押し込み片を押し込み、押し込み片がカバー片の自由端部を乗り越えた状態を示す説明図。（ｄ）は（ｃ）の状態で外蓋を閉じた状態を示す説明図。（ｅ）は（ｄ）の正面図。
【図８】（ａ）は本発明の実施例２に係る包装箱の裏側展開図。（ｂ）は（ａ）の包装箱に用いられるカバー片の背面図。
【図９】図８の包装箱を開封したときの要部を示す斜視図。
【図１０】（ａ）は図９の包装箱の部分側面図。（ｂ）は（ａ）の状態から押し込み片を押し込み始めた当初の状態を示す説明図。（ｃ）は（ｂ）の状態から更に押し込み片を押し込み、押し込み片がカバー片の自由端部を乗り越えた状態を示す説明図。（ｄ）は（ｃ）の状態で外蓋を閉じた状態を示す説明図。（ｅ）は（ｄ）の正面図。
【図１１】本発明の実施例３に係る包装箱を開封したときの要部を示す斜視図。
【図１２】（ａ）は図１１の包装箱を閉じた状態で押し込み片を押し込み始めた当初の状態を示す説明図。（ｂ）は（ａ）の状態から更に押し込み片を押し込み、押し込み片がフラップの上端部を乗り越えた状態を示す説明図。（ｃ）は（ｂ）の状態で外蓋を閉じた状態を示す説明図。（ｄ）は（ｃ）の正面図。
【図１３】本発明の実施例４に係る包装箱の裏側展開図。
【図１４】図１３の包装箱において押し込み片が内側側片の自由端部を乗り越えた状態を示す説明図。
【発明を実施するための形態】
【００１０】
以下、本発明の実施形態について図面を用いて説明する。
【実施例１】
【００１１】
図１及び図２は、本発明を適用した包装箱１Ａを示す。包装箱１Ａは、図３（ａ），３（ｂ）に示される箱体形成用シート２Ａを用いて、図１に示されるような直方体形状に組み立てられる。包装箱１Ａには、図２に示されるように収容物３（例えば複数のブリスタパック又はそれを複数まとめた包装）が収容されている。
【００１２】
箱体形成用シート２Ａは、厚紙等の一枚のブランクシートで形成されており、組み立て状態で直方体形状（角筒状）をなす箱本体１０と、箱本体１０の各開口端にて蓋体２０，３０とを備えている。箱本体１０は、図３（ａ），３（ｂ）に示されるように、第１側面板１１、正面板１２、第２側面板１３、背面板１４及び糊代１５がこの順に連結されたものである。
【００１３】
第１側面板１１は第２側面板１３と同じ幅寸法Ｄ１に設定されている。また、正面板１２は背面板１４と同じ幅寸法Ｄ２に設定されている。第１側面板１１、正面板１２、第２側面板１３、背面板１４及び糊代１５は、それぞれ平行に延び出す折り曲げ線（折り罫線、折り目、端縁）Ｌ１，Ｌ２，Ｌ３，Ｌ４により区切られている。糊代１５は、その表面に塗布された接着剤Ｂ１（図３（ｂ）参照）により箱本体１０の組み立て状態で第１側面板１１の裏面に貼付される。これにより、箱本体１０は角筒形状をなすように周方向で一体化される。
【００１４】
蓋体２０は、図３（ａ），３（ｂ）に示されるように、内蓋部材２１、外蓋片２２及びフラップ２３，２４を備えている。内蓋部材２１は、正面板１２の一端縁から延設され、第１内蓋片２１ａ、第２内蓋片２１ｂ、再封片２１ｃがこの順に連結されたものである。第１内蓋片２１ａ、第２内蓋片２１ｂ及び再封片２１ｃは、それぞれ平行に延び出す折り曲げ線（折り罫線、折り目、端縁）Ｌ５，Ｌ６により区切られている。
【００１５】
第１内蓋片２１ａは、正面板１２と端縁を共有し、その端縁を下底とする等脚台形状に形成されている。具体的に、その共有化された端縁は、その中間部に位置する折り曲げ線Ｌ７と、その折り曲げ線Ｌ７の両端からそれぞれ正面板１２の端縁に沿って延び出す切り込み線Ｃ１，Ｃ２とで形成されている。
【００１６】
正面板１２には、折り曲げ線Ｌ７と、その折り曲げ線Ｌ７を下底とする等脚台形状、あるいはその折り曲げ線Ｌ７の両端をそれぞれ始端、終端とする略Ｕ字形状の切り込み線Ｃ３とで囲まれた開封片１２ａが形成されている。これにより、内蓋部材２１は、切り込み線Ｃ１，Ｃ２，Ｃ３での破断により開封片１２ａと共に正面板１２から分離可能とされている。
【００１７】
第１内蓋片２１ａ及び第２内蓋片２１ｂは、折り曲げ線Ｌ５を共通の上底とし、かつ下底同士、高さ同士を各々ほぼ同じ長さとする等脚台形状に形成されている。再封片２１ｃは、先端の両隅部が円弧形状に形成されている。第２内蓋片２１ｂは、折り曲げ線Ｌ５で折り畳まれ（図４参照）、その裏面に塗布された接着剤Ｂ２（図３（ａ）参照）により第１内蓋片２１ａの裏面に貼付されて両内蓋片２１ａ，２１ｂが一体となった状態で箱本体１０に収容される（図２参照）。第１内蓋片２１ａ及び第２内蓋片２１ｂを有する内蓋部材２１が、開封済み表示として機能する本発明のカバー片に相当する。
【００１８】
外蓋片２２は、図３（ａ），３（ｂ）に示されるように、折り畳まれた第１内蓋片２１ａ及び第２内蓋片２１ｂを包含する程度に大きな長方形状をなし（図５参照）、背面板１４の一端縁から延設され、折り曲げ線Ｌ８により背面板１４と区切られている。外蓋片２２には、折り曲げ線Ｌ８と、その折り曲げ線Ｌ８の中間部の２点をそれぞれ始端、終端とする略Ｕ字形状（その他円弧形状、角形状としてもよい）の切り込み線Ｃ４とで囲まれた押し込み片２２ａが形成されている。押し込み片２２ａは、切り込み線Ｃ４での破断により外蓋片２２から離間し、離間後の押し込み片２２ａは、折り曲げ線Ｌ８を回動軸線として回動可能とされている。
【００１９】
フラップ２３，２４は、箱本体１０の開口の一部を塞ぐものであり、箱本体１０の開口端のうち第１内蓋片２１ａと外蓋片２２とがそれぞれ連結される端縁とは別の端縁から延設されている。具体的に、フラップ２３は、第１側面板１１の一端縁から延設され、折り曲げ線Ｌ９により第１側面板１１と区切られている。フラップ２４は、第２側面板１３の一端縁から延設され、折り曲げ線Ｌ１０により第２側面板１３と区切られている。
【００２０】
外蓋片２２は、折り曲げ線Ｌ８により折り曲げられることで、第１内蓋片２１ａの表面に重ね合わされ、裏面に塗布された接着剤Ｂ３（図３（ａ）参照）により第１内蓋片２１ａの表面に貼付される（図２、図４参照）。この場合、両内蓋片２１ａ，２１ｂが外蓋片２２とフラップ２３，２４間に収容される一方、再封片２１ｃが折り曲げ線Ｌ６により第２内蓋片２１ｂに対し略直角となるように折り曲げられ、フラップ２３，２４の端縁と正面板１２間に形成される隙間Ｓ１を通して箱本体１０の内側へ差し込まれる。内蓋部材２１及び外蓋片２２が本発明の開閉蓋に相当する。
【００２１】
蓋体３０は、図３（ａ），３（ｂ）に示されるように、内蓋片３１、外蓋片３２及びフラップ３３，３４を備えている。内蓋片３１は、正面板１２の他端縁から延設され、折り曲げ線Ｌ１１により正面板１２と区切られている。外蓋片３２は、背面板１４の他端縁から延設され、折り曲げ線Ｌ１２により背面板１４と区切られている。
【００２２】
フラップ３３は、第１側面板１１の他端縁から延設され、折り曲げ線Ｌ１３により第１側面板１１と区切られている。フラップ３４は、第２側面板１３の他端縁から延設され、折り曲げ線Ｌ１４により第２側面板１３と区切られている。
【００２３】
外蓋片３２は、折り曲げ線Ｌ１２により折り曲げられることで、内蓋片３１の表面に重ね合わされ、裏面に塗布された接着剤Ｂ４（図３（ａ）参照）により内蓋片３１の表面に貼付される（図４参照）。この場合、内蓋片３１は外蓋片３２とフラップ３３，３４間に収容される。このように本実施例１では、蓋体２０が開閉自在な開閉式とされる一方、蓋体３０が常閉式とされている。
【００２４】
上記のように構成された包装箱１Ａにおいては、図５に示されるように、正面板１２の開封片１２ａを切り込み線Ｃ１，Ｃ２，Ｃ３に沿って切り離すことで、内蓋部材２１及び外蓋片２２が一体の開封蓋としての機能を果たすようになり、再封片２１ｃを箱本体１０の内側に差し込むことで、開封された包装箱１Ａを再度閉じた状態とし、更には開閉を繰り返すこともできる。
【００２５】
ところで、本実施例１では、外蓋片２２が第１内蓋片２１ａに貼付されており、内蓋部材２１が押し込み片２２ａと部分的に重なり合うように配置されている。この場合、外蓋片２２の縦寸法をＤ３、第１内蓋片２１ａの高さ寸法をＤ４とすると、Ｄ３＞Ｄ４となるように設定されており、押し込み片２２ａを切り込み線Ｃ４に沿って切り離しつつ箱本体１０の内側へ押し込んだ場合、押し込み片２２ａが内蓋部材２１の先端側の自由端部を乗り越えて内蓋部材２１の裏側へ回り込みやすいように構成されている。
【００２６】
具体的には、図６及び図７（ａ）に示されるように、内蓋部材２１を箱本体１０から所定角度以上（例えば４５°以上）開いた状態で、押し込み片２２ａを図示矢印方向へ押し込むと、押し込み片２２ａは外蓋片２２から離間し、折り曲げ線Ｌ８を回動軸線として箱本体１０の内側へ回動する（図７（ｂ））。
【００２７】
内蓋部材２１は、第１内蓋片２１ａの下底近傍部位にて外蓋片２２に貼付されており、この貼付部位を基端部Ｅ１とし、第１内蓋片２１ａ及び第２内蓋片２１ｂにおける上底近傍部位を自由端部Ｅ２とし、基端部Ｅ１を支点部位として箱本体１０の内側への変位を許容される片持ち状態とされている。これにより、内蓋部材２１は、押込動作に伴う押し込み片２２ａの変位に追従して、箱本体１０の内側へと変位する（図７（ｂ））。
【００２８】
押し込み片２２ａが外蓋片２２から離間して箱本体１０の内側へ向けて所定の深さまで押し込まれると、押し込み片２２ａが第１内蓋片２１ａ及び第２内蓋片２１ｂの自由端部Ｅ２を乗り越えてその裏側へ回り込む（図７（ｃ））。この状態で、再封片２１ｃを箱本体１０の内側に差し込み、箱本体１０を閉じると、押し込み片２２ａはフラップ２３，２４の弾性復帰等に基づく軽微な反力を受けつつ、内蓋部材２１とフラップ２３，２４とにより挟持されることとなる（図７（ｄ））。
【００２９】
このとき、外蓋片２２を正面から見ると、押し込み片２２ａの離間により外蓋片２２に形成された開口部２２ｂ（すなわち、切り込み線Ｃ４と折り曲げ線Ｌ８とで囲まれた孔）を通して第１内蓋片２１ａの上底側中間部２１ａ１の表面が露出した状態となっている（図７（ｅ））。
【００３０】
以上の説明から明らかなように、上記実施例１では、押し込み片２２ａが箱本体１０の内側へ向けて押し込まれることで、押し込み片２２ａが内蓋部材２１（カバー片）の自由端部Ｅ２を乗り越えて内蓋部材２１の裏側へ回り込む。これにより、内蓋部材２１の表面が、押し込み片２２ａの離間により外蓋片２２に形成された開口部２２ｂを通して露出した状態となり、内蓋部材２１における第１内蓋片２１ａの表面の一部（上底側中間部２１ａ１）が開封済み表示としてユーザーに視認されるようになる。
【００３１】
この場合、押し込み片２２ａは内蓋部材２１により箱本体１０の外側への移動を阻止され、箱本体１０の外側へ突出するおそれがないので、再封後の包装箱１Ａにおいては互いの側面同士を面接触させた状態で積み重ねることができ、安定した配置形態を保つことができる。
【００３２】
なお、上記実施例１では、開閉蓋としての内蓋部材２１及び外蓋片２２が箱本体１０に対して閉じた状態にあるとき、押込動作に伴う押し込み片２２ａの変位に追従する内蓋部材２１及びフラップ２３，２４が箱本体１０内の収容物３と接触することで、内蓋部材２１及びフラップ２３，２４が箱本体１０の内側へ変位することが抑制され、押し込み片２２ａが内蓋部材２１の自由端部Ｅ２を乗り越えることが阻止されるように構成されていた。
【００３３】
すなわち、上記実施例１では、図７（ａ）〜７（ｃ）に示したように、内蓋部材２１及び外蓋片２２が箱本体１０内側への変位を抑制されることのない、内蓋部材２１及び外蓋片２２が箱本体１０に対して開いた状態であることを条件として、内蓋部材２１及び外蓋片２２の箱本体１０内側への変位に応じて押し込み片２２ａが内蓋部材２１及び外蓋片２２の自由端部Ｅ２を乗り越えることが許容される構成とされていた。
【００３４】
これにより、上記実施例１では、包装箱１Ａを蓋体２０側で開封しない限り、第１内蓋片２１ａの表面を開封済み表示としてユーザーに視認させることができないので、包装箱１Ａが未開封であるにもかかわらず、開封済みを装う偽装行為や改ざん行為を良好に防止することができる。
【００３５】
また、上記実施例１では、カバー片としての内蓋部材２１が箱本体１０と一体に成形されている。これにより、１枚の箱体形成用シート２Ａのみを用いて包装箱１Ａを簡易かつ効率良く組み立てることができる。さらに、上記実施例１では、例えば図３（ａ），３（ｂ）に示したような既存の箱本体に単に切り込み線Ｃ４を設けるだけで包装箱１Ａを構成することができる。したがって、既存の箱本体を有効活用できるので、その製造コストを安価に設定することができる。
【実施例２】
【００３６】
上記実施例１の包装箱１Ａは、蓋体２０が内蓋部材２１として２枚の内蓋片２１ａ，２１ｂを有し、正面板１２に形成された開封片１２ａでの開封を条件として、内蓋部材２１と外蓋片２２が一体となって開封蓋として機能する構成とされていたが、上記実施例１に限らず、例えば図８〜図１０に示されるような構成としてもよい。なお、図８〜図１０において上記実施例１と同じ機能を果たす部位には同じ符号を付して説明を省略する。
【００３７】
この実施例２の包装箱１Ｂは、タックエンド式のカートンであり、図８（ａ）に示される箱体形成用シート２Ｂを用いて、図９に示されるような直方体形状に組み立てられる。箱体形成用シート２Ｂは、厚紙等の一枚のブランクシートで形成されており、箱本体１０と、箱本体１０の各開口端にて蓋体２０，３０とを備えている。箱本体１０及び蓋体３０は上記実施例１と同様に構成されている。
【００３８】
蓋体２０は、外蓋片２２及びフラップ２３，２４を備え、内蓋片は省略されている。外蓋片２２には、押し込み片２２ａが形成されるとともに、その先端縁からは折り曲げ線Ｌ６を介して再封片２２ｃが延設されている。
【００３９】
外蓋片２２の裏面には、箱体形成用シート２Ｂとは別部材であるカバーシート２５が貼付されている。カバーシート２５は、図８（ｂ）に示されるような例えば凸形状の厚紙等で形成され、図９に示されるようにシート本体２５ａが押し込み片２２ａと部分的に重なり合うように配置され、中間突出部２５ｂにて接着剤Ｂ５により外蓋片２２の裏面に貼付されている。すなわち、カバーシート２５は、中間突出部２５ｂを基端部Ｅ１とし、シート本体２５ａを自由端部Ｅ２とし、基端部Ｅ１を支点部位として箱本体１０の内側への変位を許容される片持ち状態とされている。カバーシート２５が、開封済み表示として機能する本発明のカバー片に相当する。
【００４０】
そして、一例として、図１０（ａ）に示されるように、外蓋片２２を箱本体１０から所定角度以上（例えば４５°以上）開いた状態で、押し込み片２２ａを図示矢印方向へ押し込むと、押し込み片２２ａは外蓋片２２から離間し、折り曲げ線Ｌ８を回動軸線として箱本体１０の内側へ回動する（図１０（ｂ））。押し込み片２２ａが外蓋片２２から離間して箱本体１０の内側へ向けて所定の深さまで押し込まれると、押し込み片２２ａがカバーシート２５の自由端部Ｅ２を乗り越えてその裏側へ回り込む（図１０（ｃ））。
【００４１】
この状態で、再封片２２ｃを箱本体１０の内部に差し込み、箱本体１０を閉じた状態にすると、押し込み片２２ａはフラップ２３，２４の弾性復帰等に基づく軽微な反力を受けつつ、外蓋片２２とフラップ２３，２４とにより挟持されることとなる（図１０（ｄ））。このとき、外蓋片２２を正面から見ると、押し込み片２２ａの離間により外蓋片２２に形成された開口部２２ｂ（すなわち、切り込み線Ｃ４と折り曲げ線Ｌ８とで囲まれた孔）を通してカバーシート２５におけるシート本体２５ａの中間部２５ａ１の表面が露出した状態となっている（図１０（ｅ））。
【００４２】
上記実施例２では、カバーシート２５の表面の一部（中間部２５ａ１）が開封済み表示としてユーザーに視認されるようになる。そして、この実施例２における再封後の包装箱１Ｂにおいても、互いの側面同士を面接触させた状態で積み重ねることができ、安定した配置形態を保つことができる。
【００４３】
また、上記実施例２では、カバーシート２５が箱体形成用シート２Ｂとは別部材で構成されているので、カバーシート２５の素材を適宜変更することで、ユーザーに対する視認効果を良好に高めることが可能である。さらに、上記実施例２では、例えば図８（ａ）に示したような既存の箱本体に単に切り込み線Ｃ４を設け、これに例えば図８（ｂ）に示したような別部材としてのカバーシート２５を追加するだけで包装箱１Ｂを構成することができる。したがって、この実施例２においても、既存の箱本体を有効活用できるので、その製造コストを安価に設定することができる。
【実施例３】
【００４４】
上記実施例２では、カバーシート２５がカバー片としての機能を果たすように構成されていたが、例えば図１１及び図１２に示されるように、カバーシート２５を省略し、フラップ２３，２４がカバー片としての機能を果たすように構成してもよい。なお、図１１及び図１２において上記実施例２と同じ機能を果たす部位には同じ符号を付して説明を省略する。
【００４５】
この実施例３の包装箱１Ｃは、上記実施例２の箱体形成用シート２Ｂをベースとした箱体形成用シートを用いて組み立てられている。ただし、上記実施例２とは異なり、外蓋片２２が箱本体１０に対して閉じた状態であっても、押込動作に伴う押し込み片２２ａの変位に追従するフラップ２３，２４が箱本体１０の内側へ変位するのに伴って、押し込み片２２ａがフラップ２３，２４の背面板１４寄りの端縁２３ａ，２４ａを乗り越えやすいようにフラップ２３，２４の形状が変更されている。ただし、フラップ２３，２４自体の大きさについては、既存の箱本体のものを有効活用することができ、特に制約を受けるものではない。
【００４６】
すなわち、フラップ２３の端縁２３ａと背面板１４間の隙間Ｓ２がフラップ２３の基端部である折り曲げ線Ｌ９の側からフラップ２３の自由端部である先端側に向かうに従って次第に大きくなるように、フラップ２３の端縁２３ａが傾斜形状に形成されている。同様に、フラップ２４の端縁２４ａと背面板１４間の隙間Ｓ２がフラップ２４の基端部である折り曲げ線Ｌ１０の側からフラップ２４の自由端部である先端側に向かうに従って次第に大きくなるように、フラップ２４の端縁２４ａが傾斜形状に形成されている。
【００４７】
この実施例３では、フラップ２３，２４が押込動作に伴う押し込み片２２ａの変位に追従して、それぞれ折り曲げ線Ｌ９，Ｌ１０を回動軸線として箱本体１０の内側へ変位する（図１２（ａ））。フラップ２３の端縁２３ａと背面板１４間の隙間Ｓ２、及びフラップ２４の端縁２４ａと背面板１４間の隙間Ｓ２の形成に加え、押し込み片２２ａの外形が円弧形状に形成されているため、フラップ２３，２４が箱本体１０内の収容物３に接触することなく、押し込み片２２ａが隙間Ｓ２を通してフラップ２３，２４の裏側へ回り込む（図１２（ｂ））。
【００４８】
押し込み片２２ａは、自身の弾性復帰等によりフラップ２３，２４を箱本体１０の外側へ軽微な弾性力で押圧する（図１２（ｃ））。このとき、外蓋片２２を正面から見ると、押し込み片２２ａの離間により外蓋片２２に形成された開口部２２ｂ（すなわち、切り込み線Ｃ４と折り曲げ線Ｌ８とで囲まれた孔）を通してフラップ２３，２４の各端縁２３ａ，２４ａの一部を含む隅部２３ｂ，２４ｂの表面が露出した状態となっている（図１２（ｄ））。
【００４９】
上記実施例３では、フラップ２３，２４の表面の一部（隅部２３ｂ，２４ｂ）が開封済み表示としてユーザーに視認されるようになる。そして、この実施例３における再封後の包装箱１Ｃにおいても、互いの側面同士を面接触させた状態で積み重ねることができ、安定した配置形態を保つことができる。
【００５０】
また、上記実施例３では、フラップ２３，２４がカバー片としての機能を果たすように構成されている。これにより、開封済み表示の機能をシンプルな構成で実現することができる。さらに、上記実施例３では、例えば図１１に示したような既存の箱本体に単に切り込み線Ｃ４（図８参照）を設けるだけで包装箱１Ｃを構成することができる。したがって、この実施例３においても、既存の箱本体を有効活用できるので、その製造コストを安価に設定することができる。
【実施例４】
【００５１】
上記実施例３では、フラップ２３，２４がカバー片としての機能を果たすように構成さていたが、例えば図１３及び図１４に示されるように、実施例１〜３の糊代１５の一部を用いた内側片１６がカバー片としての機能を果たすように構成してもよい。なお、図１３及び図１４において上記実施例１〜３と同じ機能を果たす部位には同じ符号を付して説明を省略する。
【００５２】
この実施例４の包装箱１Ｄは、上記実施例２の箱体形成用シート２Ｂをベースとした箱体形成用シート２Ｄを用いて組み立てられている。ただし、上記実施例２とは異なり、押し込み片１１ａが第１側面板１１に形成されている。また、実施例２の糊代１５が半分程度の長さに縮小され、接着剤の塗布されない残された内側片１６がカバー片としての機能を果たすように構成されている。
【００５３】
この実施例４では、押込動作に伴う押し込み片１１ａの変位に追従して、内側片１６が折り曲げ線Ｌ４を回動軸線として箱本体１０の内側へ変位する。そして、押し込み片１１ａは、内側片１６の端縁１６ａと外蓋片２２間の隙間Ｓ３を通して内側片１６の裏側へ回り込む。この場合、押し込み片１１ａ及び内側片１６が箱本体１０内の収容物３に接触しないように設定されている。
【００５４】
押し込み片１１ａは、自身の弾性復帰等により内側片１６を第１側面板１１の裏面に向けて軽微な弾性力で押圧する。このとき、第１側面板１１を正面から見ると、押し込み片１１ａの離間により第１側面板１１に形成された開口部１１ｂ（すなわち、切り込み線Ｃ４と折り曲げ線Ｌ９とで囲まれた孔）を通して内側片１６の端縁１６ａの一部を含む隅部１６ｂの表面が露出した状態となっている。
【００５５】
上記実施例４では、内側片１６の表面の一部（隅部１６ｂ）が開封済み表示としてユーザーに視認されるようになる。そして、この実施例４における再封後の包装箱１Ｄにおいても、互いの側面同士を面接触させた状態で積み重ねることができ、安定した配置形態を保つことができる。
【００５６】
また、上記実施例４では、糊代１５の一部を用いた内側片１６がカバー片としての機能を果たすように構成されている。これにより、上記実施例３と同様、開封済み表示の機能をシンプルな構成で実現することができる。さらに、上記実施例４では、例えば図１３に示したような既存の箱本体に単に切り込み線Ｃ４を設けるとともに、既存の糊代を効果的に利用して内側片１６を形成するだけで包装箱１Ｄを構成することができる。したがって、この実施例４においても、既存の箱本体を有効活用できるので、その製造コストを安価に設定することができる。
【００５７】
なお、上記実施例１〜４では、蓋体３０が常閉式とされていたが、蓋体２０側と同様の押し込み構造の開閉式を採用してもよく、あるいは押し込み構造ではない、通常の開閉式の構造としてもよい。
【００５８】
また、例えば上記実施例１〜３において、押し込み片２２ａの形成位置は折り曲げ線Ｌ８上沿いに適宜変更可能であり、あるいはこれに代えて、折り曲げ線Ｌ８から離れた外蓋片２２内の任意の位置とすることも可能である。上記実施例４の押し込み片１１ａについても同様である。
【００５９】
また、上記実施例１〜４の包装箱１Ａ，１Ｂ，１Ｃ，１Ｄは、本発明の一適用例に過ぎず、例えば上記実施例１又は２に上記実施例４の態様を加えるなど、本発明はその趣旨を逸脱しない範囲において、包装箱１Ａ，１Ｂ，１Ｃ，１Ｄに種々の変更を加えた態様で実施することが可能である。
【００６０】
また、本発明は、上記実施例１〜４の包装箱１Ａ，１Ｂ，１Ｃ，１Ｄに限らず、例えばロックボトムカートン（底部をワンタッチで組み立て可能な箱）や蓋付きのコラプシブルカートン（容器形状の箱本体に蓋が連結された箱）など、種々の包装箱に適用することが可能である。さらに、本発明は、上記実施例１〜４の包装箱１Ａ，１Ｂ，１Ｃ，１Ｄのような組み立て状態で直方体形状をなすものに限らず、例えば円柱形状や三角柱形状など、直方体形状以外の立体形状を有する種々の包装箱に適用することが可能である。
【符号の説明】
【００６１】
１Ａ，１Ｂ，１Ｃ，１Ｄ  包装箱
２Ａ，２Ｂ，２Ｄ  箱体形成用シート
３  収容物
１０  箱本体
１１  第１側面板
１１ａ，２２ａ  押し込み片
１１ｂ，２２ｂ  開口部
１２  正面板
１３  第２側面板
１４  背面板
１５  糊代
１６  内側片（カバー片）
２０，３０  蓋体
２１  内蓋部材（カバー片）
２１ａ  第１内蓋片
２１ｂ  第２内蓋片
２１ｃ，２２ｃ  再封片
２２  外蓋片
２３，２４，３３，３４  フラップ（カバー片）
２５  カバーシート（カバー片）
３１  内蓋片
３２  外蓋片
Ｌ１〜Ｌ１４  折り曲げ線
Ｃ１〜Ｃ４  切り込み線
Ｅ１  基端部
Ｅ２  自由端部
Ｂ１〜Ｂ５  接着剤
Ｓ１〜Ｓ３  隙間
【図１】
2017149432.tif 000003
【図２】
2017149432.tif 000004
【図３】
2017149432.tif 000005
【図４】
2017149432.tif 000006
【図５】
2017149432.tif 000007
【図６】
2017149432.tif 000008
【図７】
2017149432.tif 000009
【図８】
2017149432.tif 000010
【図９】
2017149432.tif 000011
【図１０】
2017149432.tif 000012
【図１１】
2017149432.tif 000013
【図１２】
2017149432.tif 000014
【図１３】
2017149432.tif 000015
【図１４】
2017149432.tif 000016